(57)【特許請求の範囲】
【請求項１】
プログラムであって、実行された場合、モビリティ管理エンティティ（ＭＭＥ）に、
進化型ノードＢ（ｅＮＢ）から、ユーザ機器（ＵＥ）が低複雑性のカテゴリに関連付けられることを示す情報要素を含むメッセージを受信する手順であって、前記情報要素は、前記ＵＥの無線機能に関する情報を含むＵＥ無線アクセス機能構造体とは別個である、手順と、
前記ＵＥが前記低複雑性のカテゴリに関連付けられることを示す前記情報要素を含むＳ１−アプリケーションプロトコルページングメッセージ（Ｓ１−ＡＰページングメッセージ）を生成する手順と、
前記ＵＥをページングするべく、１つまたは複数のｅＮＢに前記Ｓ１−ＡＰページングメッセージを送信する手順と、を実行させ、
前記低複雑性のカテゴリは、カテゴリ０である
プログラム。
【請求項２】
実行された場合、前記ＭＭＥに、
前記情報要素に基づいて、前記ＵＥが、複数のＵＥの前記低複雑性のカテゴリに関連付けられることを判断する手順をさらに実行させる
請求項１に記載のプログラム。
【請求項３】
前記情報要素は、前記ＵＥ無線アクセス機能構造体とは別個に格納される
請求項１または２に記載のプログラム。
【請求項４】
前記無線アクセス機能構造体は、前記ＭＭＥにおいて、ＵＥコンテキスト内にトランスペアレントな態様で格納される
請求項３に記載のプログラム。
【請求項５】
前記情報要素および前記無線アクセス機能構造体の両方は、前記ｅＮＢから受信した前記メッセージに含まれる
請求項３に記載のプログラム。
【請求項６】
前記メッセージは、前記ＵＥからのものであって、前記ｅＮＢによって転送される
請求項１または２に記載のプログラム。
【請求項７】
実行された場合、前記ＭＭＥに、
前記１つまたは複数のｅＮＢが前記低複雑性のカテゴリに関連付けられた複数のＵＥをサポートすることを判断する手順と、
前記１つまたは複数のｅＮＢが前記低複雑性のカテゴリに関連付けられた複数のＵＥをサポートするという前記判断にさらに基づいて、前記Ｓ１−ＡＰページングメッセージを生成する手順とをさらに実行させる
請求項１または２に記載のプログラム。
【請求項８】
実行された場合、前記ＭＭＥに、
運用・管理・保守（ＯＡＭ）手順から受信された情報、Ｓ１−ＡＰシグナリングを介して前記ｅＮＢから受信された情報、またはネットワークデータベースから受信された情報に基づいて、前記１つまたは複数のｅＮＢが前記低複雑性のカテゴリに関連付けられた複数のＵＥをサポートすることを判断する手順を実行させる
請求項７に記載のプログラム。
【請求項９】
モビリティ管理エンティティ（ＭＭＥ）において使用される装置であって、前記装置は、
Ｓ１インタフェース上で通信するための通信回路と、
前記通信回路と結合された制御回路とを備え、前記制御回路は、
前記通信回路を介して受信された第１の情報要素（第１のＩＥ）および第２の情報要素（第２のＩＥ）を識別する手順であって、前記第１のＩＥは、ユーザ機器（ＵＥ）が複数のＵＥの低複雑性のカテゴリと関連付けられることを示すインジケータを有し、前記第２のＩＥは、無線機能構造体を提供する、手順と、
前記第１のＩＥを含むＳ１−アプリケーションプロトコルページングメッセージ（Ｓ１−ＡＰページングメッセージ）を生成する手順と、
前記通信回路を制御して、前記ＵＥをページングするべく、前記Ｓ１−ＡＰページングメッセージを送信する手順と、を実行し、
前記低複雑性のカテゴリは、カテゴリ０である
装置。
【請求項１０】
前記無線機能構造体は、前記ＵＥが複数のＵＥの前記低複雑性のカテゴリに関連付けられることを示すインジケータを有する
請求項９に記載の装置。
【請求項１１】
前記第１のＩＥおよび前記第２のＩＥは、同一のメッセージにおいて前記ＭＭＥに送信される
請求項９に記載の装置。
【請求項１２】
前記制御回路は、さらに、前記第１のＩＥに基づいて、前記ＵＥが複数のＵＥの前記低複雑性のカテゴリに関連付けられることを判断する
請求項９から１１のいずれか一項に記載の装置。
【請求項１３】
前記制御回路は、前記通信回路を制御して、前記Ｓ１−ＡＰページングメッセージを、トラッキングエリアにおける複数のｅＮＢに送信する
請求項１２に記載の装置。
【請求項１４】
前記制御回路は、前記第１のＩＥおよび前記第２のＩＥを、互いに別個にストレージ回路に格納する
請求項９から１１のいずれか一項に記載の装置。
【請求項１５】
前記制御回路は、前記第２のＩＥに含まれる情報にアクセスすることなく、前記第２のＩＥを格納する
請求項１４に記載の装置。
【請求項１６】
プログラムであって、実行された場合、進化型ノードＢ（ｅＮＢ）に、
第１の情報要素（第１のＩＥ）および第２の情報要素（第２のＩＥ）を含むメッセージを、モビリティ管理エンティティ（ＭＭＥ）に送信する手順であって、前記第１のＩＥは、ユーザ機器（ＵＥ）が複数のＵＥの低複雑性のカテゴリと関連付けられることを示すインジケータを有し、前記第２のＩＥは、無線機能構造体を提供する、手順と、
ページングターゲットが複数のＵＥの低複雑性のカテゴリに関連付けられる前記ＵＥであることを示す前記第１のＩＥにアクセスするべく、前記ＭＭＥから受信したＳ１−アプリケーションプロトコルページングメッセージ（Ｓ１−ＡＰページングメッセージ）を処理する手順と、
前記Ｓ１−ＡＰページングメッセージに基づいて、１または複数のセルにおいて、前記ＵＥをページングする手順とを実行させ、
前記低複雑性のカテゴリは、カテゴリ０である
プログラム。
【請求項１７】
実行された場合、前記ｅＮＢに、
前記Ｓ１−ＡＰページングメッセージの受信前に前記メッセージを前記ＭＭＥに送信する手順をさらに実行させる
請求項１６に記載のプログラム。
【請求項１８】
実行された場合、前記ｅＮＢに、
前記ｅＮＢにより提供された１または複数のセルが前記低複雑性のカテゴリに関連付けられる複数のＵＥをサポートすることを判断する手順と、
前記判断に基づいて、前記１または複数のセルにおいて前記ＵＥをページングする手順とをさらに実行させる
請求項１６に記載のプログラム。
【請求項１９】
前記メッセージは、非アクセス層メッセージである
請求項１６から１８のいずれか一項に記載のプログラム。
【請求項２０】
モビリティ管理エンティティ（ＭＭＥ）であって、
進化型ノードＢ（ｅＮＢ）から、ユーザ機器（ＵＥ）が低複雑性のカテゴリに関連付けられることを示す情報要素を含むメッセージを受信する手段であって、前記情報要素は、前記ＵＥの無線機能に関する情報を含むＵＥ無線アクセス機能構造体とは別個である、手段と、
前記ＵＥが前記低複雑性のカテゴリに関連付けられることを示す前記情報要素を含むＳ１−アプリケーションプロトコルページングメッセージ（Ｓ１−ＡＰページングメッセージ）を生成する手段と、
前記ＵＥをページングするべく、１つまたは複数のｅＮＢに前記Ｓ１−ＡＰページングメッセージを送信する手段とを備え、
前記低複雑性のカテゴリは、カテゴリ０である
ＭＭＥ。
【請求項２１】
前記ＵＥの無線機能に関する情報を有するＵＥ無線アクセス機能構造体とは別個に前記情報要素を格納する手段をさらに備える
請求項２０に記載のＭＭＥ。
【請求項２２】
前記無線アクセス機能構造体をＵＥコンテキスト内にトランスペアレントに格納する手段をさらに備える
請求項２１に記載のＭＭＥ。
【請求項２３】
請求項１から８，および１６から１９のいずれか一項に記載のプログラムを格納する、コンピュータ可読記録媒体。
【請求項２４】
前記情報要素は、前記ＵＥをページングする場合に用いられる手順に関する情報を提供するためのサービスインジケータをさらに含む
請求項１から８のいずれか一項に記載のプログラム。
【請求項２５】
前記サービスインジケータは、前記ＵＥをページングする場合に用いられるカバレッジ向上手順に関する情報を提供するためのものである
請求項２４に記載のプログラム。
【発明の詳細な説明】
【技術分野】
【０００１】
［関連出願の相互参照］  本願は、合衆国法典第３５巻１１９条（ｅ）に基づき、２０１４年７月２日に出願された「ＥＮＨＡＮＣＥＭＥＮＴＳ  ＯＮ  ＰＡＧＩＮＧ  ＭＥＣＨＡＮＩＳＭ  ＦＯＲ  ＬＯＷ  ＣＯＭＰＬＥＸＩＴＹ  ＵＥＳ」という名称の米国仮特許出願第６２／０２０，３１８号に対する優先権を主張し、その開示全体が参照により本明細書に組み込まれる。
【０００２】
本発明の複数の実施形態は、概してデータ処理の技術分野に関し、より詳細には無線通信ネットワークにおけるページングのための技術に関する。
【背景技術】
【０００３】
アイドルモードの複数のユーザ機器（ＵＥ）にコンタクトして、無線リソース制御（ＲＲＣ）接続の確立を開始するように要求するべく、複数のページング手順がネットワークにより用いられる。ページング手順は、ＵＥに対するデータがネットワークに到着したときに用いられ得る。ネットワークは、ＵＥが位置するセルを知らず、ＵＥが複数の登録トラッキングエリア（ＴＡ）内のいずれかの箇所にあり得ることのみを知っている場合がある。従って、ネットワークは、ＵＥに達し得ることを確実にするべく、複数の登録ＴＡの全セルからページングメッセージに送信する。ページング手順は、モビリティ管理エンティティ（ＭＭＥ）により開始され得、ＭＭＥは、Ｓ１インタフェースを介し、Ｓ１アプリケーションプロトコルを用いて複数のページングメッセージを適切な進化型ノードＢ（ｅＮＢ）を送信する。これらは、Ｓ１‐ＡＰページングメッセージと呼ばれる場合がある。次に、各ｅＮＢは、エアインタフェースを介し、ＲＲＣプロトコルを用いて複数のページングメッセージを送信し得る。これらは、エアインタフェースページングメッセージまたはＲＲＣページングメッセージと呼ばれる場合がある。
【図面の簡単な説明】
【０００４】
本発明の複数の実施形態は、添付の図面の図において、限定ではなく例として図示され、同一の符号は、類似の要素を示す。本開示における発明の「１つ（ａｎ）」または「１つ（ｏｎｅ）」の実施形態を参照しても、必ずしも同一の実施形態に対するものではなく、少なくとも１つのものを意味し得ることに留意されたい。
【図１】様々な実施形態による、ユーザ機器、進化型ノードＢ、およびモビリティ管理エンティティを含む無線通信環境を示すブロック図である。
【図２】様々な実施形態による、ページングのための方法を図示するフロー図である。
【図３】様々な実施形態による、ページングのための別の方法を図示するフロー図である。
【図４】様々な実施形態による、ページングのための別の方法を図示するフロー図である。
【図５】様々な実施形態による、ページングのための別の方法を図示するフロー図である。
【図６】様々な実施形態による、ページングのための別の方法を図示するフロー図である。
【図７】様々な実施形態によるページングのためのシステムを図示するブロック図である。
【発明を実施するための形態】
【０００５】
以下の詳細な説明において、本明細書の一部を形成する添付の図面を参照する。全体を通して同一の符号は、同一の部品を示し、実施され得る複数の実施形態は、例示として示される。他の複数の実施形態が使用され得、本開示の範囲を逸脱することなく構造またはロジックの変更がなされ得ることを理解されたい。従って、以下の詳細な説明は、限定的意味で解釈されるものではなく、実施形態の範囲は、添付の特許請求の範囲およびその均等物により規定される。
【０００６】
同様に、特許請求される主題を理解するのに最も役立つように、様々な動作は、複数の別個の働きまたは動作として説明され得る。しかし、説明の順序は、これらの動作が必ず順序に依存することを暗に示すものとして解釈されるべきではない。具体的には、これらの動作は、提示される順序で実行されない場合がある。説明される複数の動作は、説明される実施形態とは異なる順序で実行される場合がある。様々な更なる動作が実行され得、および／または説明される複数の動作は、更なる複数の実施形態において省略され得る。
【０００７】
本開示の目的のために、「ＡまたはＢ」という文言は、（Ａ）、（Ｂ）、または（ＡおよびＢ）を意味する。従って、「または」は、両立的選言である。
【０００８】
本明細書は、「一実施形態において」または「複数の実施形態において」という文言を用いる場合がある。これらの文言は各々、同一または異なる複数の実施形態のうちの１または複数を指し得る。更に、本開示の複数の実施形態に関して用いられる「備える」、「含む」、「有する」等の用語は、同義である。
【０００９】
本明細書において用いられるように、「回路」という用語は、１または複数のソフトウェアもしくはファームウェアプログラムを実行する特定用途向け集積回路（ＡＳＩＣ）、電子回路、プロセッサ（共有、専用、もしくはグループ）、および／またはメモリ（共有、専用、もしくはグループ）、組み合わせロジック回路、ならびに／または説明される機能を提供する他の好適なハードウェアコンポーネントを指し、これらの一部であり、またはこれらを含み得る。
【００１０】
図１は、様々な実施形態による無線通信環境１００を概略的に図示する。環境１００は、ＵＥ１０４、ｅＮＢ１０８、およびＭＭＥ１１２を含み得る。
【００１１】
ｅＮＢ１０８は、第３世代パートナーシッププロジェクト（３ＧＰＰ）ロングタームエボリューション（ＬＴＥ）ネットワーク（またはＬＴＥアドバンスト（ＬＴＥ‐Ａ）ネットワーク）のアクセスノードであり得る。具体的には、ｅＮＢ１０８は、進化型ユニバーサル地上無線アクセスネットワーク（Ｅ‐ＵＴＲＡＮ）のようなＬＴＥ／ＬＴＥ‐Ａネットワークの無線アクセスネットワーク（ＲＡＮ）の一部であり得る。本開示の複数の実施形態は、ＬＴＥネットワークに関連して説明されるが、類似の複数のコンセプトは、複数の他のネットワーク、例えば、ユニバーサル移動体通信システム（ＵＭＴＳ）ネットワーク、汎ヨーロッパデジタル移動通信システム（ＧＳＭ（登録商標））ネットワーク等にも適用可能であり得る。
【００１２】
Ｅ‐ＵＴＲＡＮは、コアネットワークの複数のコンポーネント、例えば、ＬＴＥ／ＬＴＥ‐Ａネットワークの様々な管理および制御機能を実行し、様々なＲＡＮと複数の他のネットワークとの間の通信インタフェースを更に提供する進化型パケットコア（ＥＰＣ）に結合され得る。ＭＭＥ１１２は、コアネットワーク内に存在し得る。
【００１３】
ＵＥ１０４は、無線通信回路を備え、例えば、１または複数の３ＧＰＰ技術仕様に準拠するＲＡＮを介して通信するように適合された任意のタイプのコンピューティングデバイスであり得る。ＵＥ１０４は、ＲＡＮを介した無線通信のために構成される電話、コンピュータ、センサ、またはその他のデバイス含み得るが、これらに限定されない。ＵＥ１０４は、通信回路１１６、制御回路１２０、無線トランシーバ１２２、および１または複数のアンテナ１２４を含み得る。
【００１４】
通信回路１１６は、エアインタフェースを介し、１または複数のアンテナ１２４経由で１または複数のコンポーネント、例えば、ｅＮＢ１０８から複数の無線周波数（ＲＦ）信号を受信し、および／またはこれらに複数のＲＦ信号を送信するべく、無線トランシーバ１２２とインタフェース接続し得る。ＵＥ１０４とｅＮＢ１０８との間のエアインタフェースは、３ＧＰＰ技術仕様においてＵｕインタフェースと呼ばれる場合がある。様々な実施形態において、通信回路１１６は、エアインタフェースを介する通信にＥ‐ＵＴＲＡプロトコルを用い得る。通信回路１１６は、Ｕｕインタフェースにおいて、ダウンリンク通信に直交周波数分割多重接続（ＯＦＤＭＡ）を用い、アップリンク通信に単一搬送波周波数分割多重接続（ＳＣ‐ＦＤＭＡ）を用い得る。
【００１５】
通信回路１１６は、入力データをエンコードするためのエンコーダ、および送信されるべきエンコード済み入力データを含むキャリア信号を変調するためのモジュレータを含むが、これらに限定されない信号構築回路を含み得る。通信回路１１６は、変調済みキャリア信号からエンコードされたデータを提供するためのデモジュレータ、およびエンコードされたデータからデータを提供するためのデコーダを含むが、これらに限定されない信号脱構築回路を更に含み得る。
【００１６】
無線トランシーバ１２２は、ＲＦ信号の送信および受信を提供し得る。無線トランシーバ１２２は、複数のベースバンド信号を無線周波数信号に変換するためのアップコンバータ、および送信用の複数の（ＲＦ）信号を増幅するための電力増幅器（ＰＡ）等であるが、これらに限定されないＲＦ送信回路を有し得る。無線トランシーバ１２２は、受信済みＲＦ信号を増幅するための低ノイズ増幅器、受信済みＲＦ信号をフィルタリングするためのフィルタ、およびＲＦ信号をベースバンド信号に変換するためのダウンコンバータ等であるが、これらに限定されないＲＦ受信回路を更に有し得る。
【００１７】
制御回路１２０は、通信回路１１６に結合されてもよく、より高いレイヤでの動作、例えば、無線トランシーバ１２２用の通信回路１１６の複数の動作を実行する通信プロトコルスタックの複数のレイヤより高い通信プロトコルスタックの複数のレイヤにおいて動作を実行するように構成されてもよい。一般に、制御回路１２０は、様々な実施形態に関連して説明されるページングおよび構成動作を実行するように更に構成され得る。
【００１８】
いくつかの実施形態において、通信回路１１６および制御回路１２０は、集合的に、通信プロトコルスタックに関連する動作の大部分または全てを提供し得る。通信回路１１６および制御回路１２０は、ベースバンド回路（例えば、ベースバンドチップセット）、ＰＣカード、接続カード、モバイルブロードバンドモデム等を含み、またはこれらの一部であってもよい。
【００１９】
ｅＮＢ１０８は、トランシーバ１３２とインタフェース接続して、エアインタフェースを介して通信し、例えば、１または複数のアンテナ１３６経由でＵＥ１０４から複数のアップリンクＲＦ信号を受信し、１または複数のアンテナ１３６経由で複数のダウンリンクＲＦ信号をＵＥ１０４に送信するための通信回路１２８を含み得る。いくつかの実施形態において、通信回路１２８は、通信回路１１６において対応する回路を補足する信号構築回路および信号脱構築回路を有し得る。同様に、トランシーバ１３２は、無線トランシーバ１２２において対応する回路を補足するＲＦ送信回路およびＲＦ受信回路を含み得る。
【００２０】
ｅＮＢ１０８は、通信回路１２８に結合された制御回路１４０も含み得る。制御回路１４０は、ｅＮＢ１０８により提供されるセルにおいて無線通信の複数の態様を制御するべく、より高いレイヤでの動作を実行するように構成され得る。例えば、制御回路１４０は、様々な実施形態に関連して説明されるページングおよび構成動作を実行し得る。
【００２１】
エアインタフェースを介した通信に加えて、通信回路１２８、トランシーバ１３２、および制御回路１４０を含む、ｅＮＢ１０８の複数のコンポーネントは、１または複数の追加の有線または無線インタフェースを介して通信するための回路を含み得る。例えば、ｅＮＢ１０８の複数のコンポーネントは、コントロールプレーントラフィック用のＭＭＥ１１２とのＳ１‐ＭＭＥインタフェースを介して通信し得る。ｅＮＢ１０８は、Ｓ１‐ＭＭＥインタフェース上でＳ１‐ＡＰプロトコルを用い得る。いくつかの実施形態において、トランシーバ１３２は、Ｓ１‐ＭＭＥインタフェースを提供するべく、光ファイバギガビットおよび１０ギガビットイーサネット（登録商標）等であるが、これに限定されない複数のイーサネット（登録商標）ネットワークを介したＳ１‐ＡＰシグナリングをサポートするイーサネット（登録商標）インタフェースを含み得る。
【００２２】
ＭＭＥ１１２は、トランシーバ１４８とインタフェース接続してＳ１‐ＭＭＥインタフェースを介して通信し、例えば、ｅＮＢ１０８からのＳ１‐ＡＰ送信を受信し、またはＳ１‐ＭＭＥインタフェースを介してＳ１‐ＡＰ送信をｅＮＢ１０８に送信するための通信回路１４４を含み得る。トランシーバ１４８は、複数のイーサネット（登録商標）ネットワークを介してＳ１‐ＡＰシグナリングをサポートするためのイーサネット（登録商標）インタフェースを含み得る。
【００２３】
ＭＭＥ１１２は、通信回路１４４に結合された制御回路１５２も含み得る。制御回路１５２は、Ｅ‐ＵＴＲＡＮにおいてＥＰＣからの通信を制御するべく、より高いレイヤでの動作を実行するように構成され得る。本開示の具体的な関連において、制御回路１５２は、複数のアイドルモードのＵＥのページングを担い得る。一般に、制御回路１５２は、本明細書に説明されるページングまたは構成処理の任意の一部を実行するように更に構成され得る。
【００２４】
多数の異なるＵＥの管理を容易にするべく、各々は異なる複数のトラフィックパターン、通信要求等と関連付けられて、複数のＵＥのカテゴリが規定され得る。各カテゴリは、カテゴリ内で複数のＵＥによりサポートされる特定のデータレートおよび機能と関連付けられ得る。一般に、より高い番号の複数のカテゴリは、より高い複数のデータレートおよびより多くの機能をサポートし得る。結果として、より高い番号の複数のカテゴリは、所望の処理能力およびメモリを提供するべく、より高コストのＵＥともなり得る。低コストで低複雑性のＵＥカテゴリは、非常に低いデータレートのみを必要とするマシンタイプ通信（ＭＴＣ）の複数のＵＥに提供され得る。このカテゴリは、カテゴリ０と呼ばれる場合がある。カテゴリ０のＵＥの一態様は、少なくとも２つの受信アンテナを必要とし得る他の全てのＵＥカテゴリとは対照的に、単一の受信アンテナのみを必要とし得るというものである。この単一の受信アンテナは、複数のページングメッセージの受信に対するエラーの確率の増大をもたらし得る。ｅＮＢがページングメッセージを送信する場合に、メッセージがカテゴリ０のＵＥ向けであることを知り得れば、ｅＮＢは、例えば、単一の受信アンテナを補償するべく高められた送信能力またはより高い送信用符号化レートを用い得るであろう。これは、複数の他のカテゴリのＵＥに送信される複数のページングメッセージに類似するエラーの確率を提供し得る。この目的のために、ｅＮＢにページングがカテゴリ０のＵＥ用であることを通知するべく、Ｓ１‐ＡＰページングメッセージに対するいくつかのアップデートが必要とされる。
【００２５】
いくつかの実施形態において、カテゴリ０の複数のＵＥは、特にカテゴリ０のＵＥをサポートするように設計されている複数のｅＮＢにアクセスできるのみである場合がある。そのような複数のｅＮＢのセルは、カテゴリ０のサポートインジケータをブロードキャストし得る。カテゴリ０の複数のＵＥは、このサポートインジケータをブロードキャストする複数のセルのみにキャンプし、またはこれにアクセスすることを試みることに限られ得る。ｅＮＢにより制御されるいくつかのセルは、カテゴリ０の複数のＵＥをサポートするが、ｅＮＢにより制御される他のセルは、カテゴリ０の複数のＵＥをサポートしないことはあり得ることに留意されたい。これは、オペレータによる配置の決定であるが、オペレータが、単一のキャリア周波数または複数のキャリア周波数の限定されたセットでカテゴリ０をサポートすることを希望する場合にのみ行われ得る。
【００２６】
本明細書に説明される複数の実施形態は、カテゴリ０の複数のＵＥの効率的なページングを提供する無線通信環境１００において用いられ得る、複数のページングアーキテクチャおよび処理を提供する。複数の実施形態は、カテゴリ０のＵＥに関連して説明されるが、類似の複数の処理は、特定の機能またはサービスカテゴリ／クラスを共有する他の複数のＵＥカテゴリまたはＵＥ等、複数の他の場合に拡張および適用され得る。これらの他のタイプのＵＥとしては、例えば、ページングされるときに特別の処理を必要とするＵＥ、ネットワークにおける特定のセルにキャンプすることができないＵＥ、スモールデータまたは特定のサービスタイプをサポートするＵＥ、低減された帯域幅で動作するＵＥ、向上したカバレッジを用いるＵＥ等が挙げられ得る。本明細書において用いられるように、複数のＵＥのうちの予め定められたカテゴリのＵＥは、共通の複数の特徴、特性、動作モード等を有する任意のＵＥを指し得る。本明細書の目的のために、「カテゴリＡのＵＥ」は、カテゴリ０を含むがこれに限定されない任意のタイプの予め定められたカテゴリに関連付けられるＵＥであり得る。
【００２７】
図２〜図６は、特定のセルがカテゴリＡの複数のＵＥとの現在の接続を全くサポートしないか、または全く有しない場合に、Ｓ１‐ＭＭＥインタフェースまたはエアインタフェースを介するページングロードを低減するべく実行され得る複数の方法を図示する。
【００２８】
図２は、様々な実施形態による、ページングのための方法２００を図示するフロー図である。いくつかの実施形態において、方法２００は、ＭＭＥ１１２により、具体的には制御回路１５２により実行され得る。いくつかの実施形態において、制御回路１５２は、実行されると、ＭＭＥ１１２に方法２００を実行させる複数の命令を格納した１または複数の非一時的コンピュータ可読媒体を含み得る。
【００２９】
２０４において、方法２００は、ページングトリガを受信する段階を備え得る。ページングトリガは、ネットワークが、特定のＵＥ、例えばＵＥ１０４に送信されるデータを有することを示し得る。いくつかの実施形態において、ページングトリガは、ＵＥ１０４のためのダウンリンク情報を有することを示すサーブゲートウェイから生じ得る。
【００３０】
２０８において、方法２００は、ページングされるＵＥがカテゴリＡのＵＥであると判断する段階を備え得る。
【００３１】
いくつかの実施形態において、ＭＭＥ１１２は、ＵＥ無線アクセス機能構造体内に格納されたカテゴリインジケータにアクセスすることにより、ＵＥがカテゴリＡのＵＥであることを判断し得る。ＵＥ無線アクセス機能構造体は、ＵＥの複数の無線機能についての情報を含む情報要素（ＩＥ）であり得、ＵＥ１０４がアイドルモードにある場合に、通常、ＭＭＥ１１２内に格納される。ＵＥ１０４がアイドルモードから接続モードに移行すると、ＭＭＥ１１２は、ＵＥ無線アクセス機能構造体をｅＮＢ１０８に提供し得る。
【００３２】
本システムにおいて、ＵＥ無線機能構造体は、ＭＭＥにおいてトランスペアレントな態様でＵＥコンテキスト内に格納される。従って、ＭＭＥは、ＵＥ無線アクセス機能構造体からの情報を解釈せず、または別の場合にこれを用いない。しかし、本実施形態において、ＭＭＥ１１２は、ＵＥ無線アクセス機能構造体におけるカテゴリインジケータにアクセスして、ＵＥがカテゴリＡのＵＥであるか否かを判断し得る。
【００３３】
いくつかの実施形態において、ＭＭＥ１１２は、カテゴリインジケータを含み、ＭＭＥ１１２においてＵＥ無線アクセス機能構造体とは別個に格納されるページングＩＥにアクセスすることにより、ＵＥがカテゴリＡのＵＥであることを判断し得る。これらの実施形態において、ＵＥ無線アクセス機能構造体は、カテゴリインジケータも含み得、ＭＭＥ１１２におけるＵＥコンテキスト内にトランスペアレントにやはり格納され得る。
【００３４】
しかし、ＭＭＥ１１２は、ＵＥ無線アクセス機能構造体からではなく、別個に格納されたページングＩＥからカテゴリインジケータを読み取る。
【００３５】
ページングＩＥは、いくつかの異なる態様でＵＥ１０４からＭＭＥ１１２に送信され得る。例えば、ページングＩＥは、ＭＭＥ１１２に送信される非アクセス層（ＮＡＳ）メッセージにおいて送信され得る。ＮＡＳメッセージは、アタッチ要求、サービス要求、トラッキングエリアアップデート（ＴＡＵ）／ルーティングエリアアップデート（ＲＡＵ）等であり得るが、これらに限定されない。ＮＡＳメッセージは、ｅＮＢ１０８によりＭＭＥ１１２に転送され得るが、ｅＮＢ１０８により解釈されない。ページングＩＥは、ＵＥ無線アクセス機能構造体を送信する同一のメッセージ、または異なるメッセージにおいてＭＭＥ１１２に送信され得る。
【００３６】
いくつかの実施形態において、ＭＭＥ１１２は、ホーム加入者サーバ（ＨＳＳ）、ホームロケーションレジスタ（ＨＬＲ）、または認証・課金・許可（ＡＡＡ）サーバに格納されたＵＥ加入データにおけるカテゴリインジケータにアクセスすることにより、ＵＥがカテゴリＡのＵＥであると判断し得る。
【００３７】
いくつかの実施形態において、ＭＭＥ１１２は、アタッチ／ＴＡＵ手順中の挿入加入データ動作の一部として、ＨＳＳ／ＨＬＲ／ＡＡＡから機能インジケータと共にＵＥ加入データをダウンロードし得る。このＵＥ加入データも、ＭＭＥ間再配置／ハンドオーバー中に別のＭＭＥからＭＭＥ１１２に送信され得る。このアプローチは、加入とデバイス機能とを互いに結び付け、これによりいくつかの含意を有し得る。例えば、ユニバーサル加入者識別モジュール（ＵＳＩＭ）が異なるＵＥカテゴリのＵＥに配置された場合、機能インジケータをＵＥ加入データから取得し得るネットワークは、このＵＥをカテゴリＡのＵＥとして継続的に扱い得る。しかし、ＵＳＩＭがＭＴＣデバイスから非常に頻繁に取り外されることは予期されておらず、いくつかの場合には、ＵＳＩＭは、取り外し可能ですらない場合がある。
【００３８】
いくつかの実施形態において、カテゴリインジケータは、ランダムアクセスチャネル（ＲＡＣＨ）または無線リソース制御（ＲＲＣ）メッセージにおいてＵＥ１０４からｅＮＢ１０８に送信され得る。例えば、カテゴリインジケータは、ＲＲＣ接続要求メッセージ、ＲＲＣ接続セットアップ完了メッセージ、ＲＲＣ接続再構成メッセージ、ＵＥ機能情報メッセージ等において送信され得る。ＵＥ機能情報メッセージによりインジケーションが送信される複数の実施形態は、ＭＭＥ１１２がＵＥ無線アクセス機能構造体における機能インジケータにアクセスして、ＵＥがカテゴリＡのＵＥであるか否かを判断する実施形態を含み得る。
【００３９】
カテゴリインジケータがＲＡＣＨまたはＲＲＣメッセージにおいてｅＮＢ１０８に送信される複数の実施形態において、ｅＮＢ１０８は、Ｓ１‐ＡＰインタフェースのＭＭＥ１１２に送信されるメッセージを生成し得る。ｅＮＢ１０８は、例えば現在のＳ１‐ＡＰにおけるインジケーションＩＥ（例えば、初期ＵＥメッセージ）にそのインジケーションを追加し得、またはインジケーションＩＥを搬送する新しいメッセージを作成し得る。ＭＭＥ１１２に送信されたＳ１‐ＡＰメッセージにおけるインジケーションＩＥは、やはりＭＭＥ１１２に提供され得るＵＥ無線アクセス機能構造体の外部にあり得、複製のカテゴリインジケータも含み得る。
【００４０】
上述のように、本明細書において検討されるカテゴリインジケータは、特定のグループ、カテゴリ、またはクラスに属する複数のＵＥを更に／代替的に特徴付けし得る。例えば、カテゴリインジケータは、特定のサービスカテゴリクラスに属し得る複数のＵＥを区別するように用いられ得る。更に、このインジケーションは、複数の異なる構成設定またはタイマ、例えばページング再送信、または異なる周期的ＴＡＵタイマ、もしくはＵＥをネットワークからいつ登録解除するかを制御する複数のタイマの使用を示すべく用いられ得る。
【００４１】
２１２において、方法２００は、登録トラッキングエリア内の全てのＲＡＮノードのうちのどのＲＡＮノードがカテゴリＡの複数のＵＥをサポートするかを判断する段階を備え得る。複数のＲＡＮノードは、ネットワーク内で複数のセルを提供するｅＮＢまたは他のＲＡＮノードであり得る。ＭＭＥ１１２は、どのＲＡＮノードがいくつかの異なる態様でカテゴリＡの複数のＵＥをサポートするかを判断し得る。
【００４２】
いくつかの実施形態において、ＭＭＥ１１２には、ｅＮＢがカテゴリＡの複数のＵＥをサポートするか否かに関する情報が事前にプロビジョニングされ得る。例えば、ＭＭＥ１１２は、標準的な運用・管理（Ｏ＆Ｍ）構成またはプロプライエタリベンダに固有の方法により予めプロビジョニングされ得る。本実施形態は、より静的であり得、オペレータ／ネットワークに対する計画に複雑性を付加し得る。
【００４３】
あるいは、カテゴリＡの複数のＵＥをサポートする全てのｅＮＢの情報を格納するべく、事前に構成されたネットワークデータベースがセットアップされ得る。ＭＭＥ１１２は、必要に応じて、または他のベースで所望の情報のためのネットワークデータベースにクエリを実行し得る。データベース情報は、複数のノードの追加、変更、または削除により、アップデートされ得る。オペレータは、また、例えば、カテゴリＡの複数のＵＥをサポートするｅＮＢの運用・管理・保守（ＯＡＭ）システムにおいてデータベースを保守し得る。いくつかの実施形態において、ｅＮＢのカテゴリＡのサポートは、半静的であり得、例えば１日の時間または他の複数の要素と共に変わり得る。データベースは、ｅＮＢがカテゴリＡのサポートをいつ、およびどの程度まで提供し得るかの情報を含み得る。
【００４４】
いくつかの実施形態において、ＭＭＥ１１２は、ｅＮＢ１０８と交換されるＳ１‐ＡＰシグナリングメッセージによりカテゴリＡサポート情報を受信し得る。ＭＭＥ１１２は、カテゴリＡサポート情報を要求するべく特定のクエリをｅＮＢ１０８に送信し、またはｅＮＢ１０８が、特定の条件が生じた場合に、情報を事前に送信し得る。
【００４５】
いくつかの実施形態において、カテゴリＡサポート情報は、変更されない静的構成情報であり得る。複数の他の実施形態において、カテゴリＡのサポートは、時間と共に動的に変更され得る。例えば、ｅＮＢ１０８は、混雑状況下でカテゴリＡのサポートを中断し、またはそうでなければ制限することを決定し得る。これらの実施形態において、複数のＳ１‐ＡＰメッセージは、複数の適切な時点、例えば、カテゴリＡのサポートにおける各変更後にこの情報を伝達するべく用いられ得る。
【００４６】
カテゴリＡサポート情報は、クエリおよび応答を含むように強化され得る新しいクラス１のＳ１‐ＡＰメッセージまたは既存のＳ１‐ＡＰメッセージにおいてｅＮＢ１０８から送信され得る。カテゴリＡサポートインジケーションを搬送するように強化され得る複数のＳ１‐ＡＰメッセージは、Ｓ１‐ＡＰ  ｅＮＢ構成アップデートメッセージ、Ｓ１‐ＡＰセットアップメッセージ、Ｓ１‐ＡＰアップリンクＮＡＳ搬送メッセージ、Ｓ１‐ＡＰ初期ＵＥメッセージ、およびＳ１‐ＡＰ  ＵＥ機能情報メッセージを含むが、これらに限定されない。いくつかの実施形態において、カテゴリＡサポートインジケーションは、ＵＥに関連付けられたシグナリングメッセージの一部としてピギーバックされ得る。
【００４７】
いくつかの実施形態において、ＭＭＥ１１２にカテゴリＡサポートインジケーションを提供することに加え（または代替的に）、ｅＮＢ１０８は、ＭＭＥ１１２に、どのカテゴリＡのＵＥが現在、ｅＮＢ１０８に接続されているかについての情報を提供し得る。この情報は、ＭＭＥ１１２に周期的に送信され、またはいくつかの予め定められたトリガが生じたとき、例えば複数の接続が開始し、もしくは終了したときに送信される接続レポートにおいて提供され得る。
【００４８】
いくつかの実施形態において、複数の予め定められたトラッキングエリアまたはセルに関連付けられた複数のｅＮＢは、指定されたＵＥ、例えばＵＥ１０４が複数の予め定められたトラッキングエリアまたはセルにキャンプする場合に、ＭＭＥ１１２にキャンピングインジケーションを送信するように構成され得る。複数のＵＥがその耐用年数にわたって物理的位置を変更しない場合がある（例えば、センサ、スマートメータリング等）、またはモビリティが非常に低いか、または既知のエリア内であり得る等、ＵＥが特定のセルにキャンプされる場合にインジケーションを提供することは、カテゴリＡの複数のＵＥに特に有用であり得る。
【００４９】
いくつかの実施形態において、カテゴリＡのＵＥのサポート／非サポート（ｅＮＢの実装または配置に基づいて有効または無効にされ得る機能として理解され得る）と、許可される／許可されないアクセス（特定のネットワークの決定に起因して経時で変更され得る情報として理解される）とを対比して別々に示すための２つの異なるパラメータが存在し得る。例えば、第１のインジケーションは、セルがカテゴリＡをサポートするか否かを示すように用いられ得るが（静的であり得るが、ＭＩＢまたはＳＩＢ１に含まれ得る任意選択の情報であり得る）、第２のインジケーションは、これらのＵＥのアクセスを制御するべく動的に変更され得る。例えば、第２のインジケーションは、特定のＵＥが特定の時点でセルにアクセスすることを、セルが許可しない場合に用いられ得る。いくつかの実施形態において、第２のインジケーションは、特定の時点にセルに接続されることを試みるカテゴリＡの複数のＵＥがこれを行わない可能性があることを示し得る（一方、現在アイドルモードにあるカテゴリＡの複数のＵＥは、なおも許可される）。上記の複数のメカニズムは、この場合にも適用される。
【００５０】
いくつかの実施形態において、ＭＭＥ１１２は、どのＲＡＮノードがカテゴリＡの複数のＵＥ、例えば、ｅＮＢ１０８をサポートするかについての情報を、コアネットワークまたはＲＡＮにおける他の複数のノードに配信し得る。例えば、ＭＭＥ１１２は、カテゴリＡサポート情報を、ｅＮＢ１０８に隣接し、またはそうでなければその付近にある１または複数のｅＮＢに送信し得る。カテゴリＡサポート情報としては、ｅＮＢ  ＩＤ、セルＩＤ、およびキャリア周波数ＩＤが挙げられ得るが、これらに限定されない。様々な実施形態において、カテゴリＡサポート情報は、いくつかの異なる態様で配信され得る。例えば、複数の隣接ｅＮＢは、カテゴリＡサポート情報を用いて、例えば、Ｏ＆Ｍ構成または内部初期構成により事前に構成され得る。カテゴリＡサポート情報は、新しい複数のＳ１‐ＡＰメッセージの送信、ＩＥを搬送するように強化され、カテゴリサポート情報を提供する既存の複数のＳ１‐ＡＰメッセージの送信により配信され、またはＵＥに関連付けられた複数のシグナリングメッセージにおいて送信され得る。
【００５１】
２１６において、方法２００は、複数のページングメッセージを、カテゴリ０の複数のＵＥをサポートすると判断された複数のＲＡＮノードに送信する段階を備え得る。２１６において送信された複数のページングメッセージは、Ｓ１‐ＡＰページングメッセージであってもよい。複数のＳ１‐ＡＰページングメッセージは、カテゴリ０の複数のＵＥをサポートしないと判断された複数のＲＡＮノードには送信されないので、方法２００は、Ｓ１インタフェースを介して送信される複数のページングメッセージ、ならびにカテゴリＡの複数のＵＥをサポートしない複数のＲＡＮノードのセルにおける無線インタフェースを介して送信されるいくつかのページングメッセージの双方を減らし得る。
【００５２】
ＭＭＥ１１２は、どのＵＥが特定のセルにキャンプされるかについての情報を、ＭＭＥ１１２が受信した場合に、複数のＳ１‐ＡＰページングメッセージが送信される複数のＲＡＮノードを更に制限し得る。これらの実施形態において、Ｓ１‐ＡＰページングメッセージは、ＵＥがキャンプされるセルに関連付けられたｅＮＢに送信され得るのみである。
【００５３】
２１２において送信されたＳ１‐ＡＰページングメッセージを受信する複数のＲＡＮノードは、それらの各セルにおいて複数のページングメッセージをブロードキャストし得る。
【００５４】
図３は、様々な実施形態による、ページングのための方法３００を図示するフロー図である。いくつかの実施形態において、方法３００は、ＭＭＥ１１２により、具体的には制御回路１５２により実行され得る。いくつかの実施形態において、制御回路１５２は、実行されると、ＭＭＥ１１２に方法３００を実行させる複数の命令を格納した１または複数の非一時的コンピュータ可読媒体を含み得る。
【００５５】
３０４において、方法３００は、ページングトリガを受信する段階を備え得る。ページングトリガを受信する段階は、２０４に関連して上記されたものに類似し得る。
【００５６】
３０８において、方法３００は、ページングされるＵＥがカテゴリＡのＵＥであると判断する段階を備え得る。ページングされるＵＥがカテゴリＡのＵＥであると判断する段階は、２０８に関連して上記されたものに類似し得る。
【００５７】
３１２において、方法３００は、Ｓ１‐ＡＰページングメッセージがカテゴリ０のＵＥに向けられるとのインジケーションを有するＳ１‐ＡＰページングメッセージを生成する段階を備え得る。このインジケーションは、カテゴリＡのインジケーションと呼ばれ得る。いくつかの実施形態において、カテゴリＡのインジケーションは、現在のＳ１‐ＡＰページングメッセージにおける情報要素に含まれ得る。以下の表１および２は、Ｓ１‐ＡＰページングメッセージの内容を例示し、これらは、１つまたはいくつかのトラッキングエリアにおいてカテゴリＡのインジケーション（表１において「ＣａｔＡ」として示されるが、ＵＥがカテゴリ０のＵＥである複数の実施形態において「Ｃａｔ０」でもあり得る）を含むように強化されたカテゴリＡのＵＥをページングするべく用いられ得る。表１および２における用語は、３ＧＰＰ  ＴＳ  ３６．４１３  ｖ１２．２．０（２０１４‐０６‐２７）における対応する記載に即して規定され得る。
【表１】
0006381005.tif 000002
【表２】
0006381005.tif 000003
【００５８】
複数の他の実施形態において、カテゴリＡのインジケーションは、新たに規定されたＳ１‐ＡＰメッセージにおいて送信されるＩＥまたは他の構造体に含まれ得る。
【００５９】
いくつかの実施形態において、３０８は、省略されてもよく、ＭＭＥは、ページングターゲットがカテゴリＡのＵＥであると判断する必要がない場合がある。これらの実施形態において、ＭＭＥは、別のエンティティからのカテゴリＡのインジケーションを含むＩＥを受信し得、ＭＭＥは、ＩＥ自体のコンテンツを解釈することなく、ＩＥを生成済みＳ１‐ＡＰメッセージに組み込み得る。
【００６０】
３１６において、方法３００は、ページングメッセージを、登録トラッキングエリア内の全てのＲＡＮノードに送信する段階を備え得る。複数のＳ１‐ＡＰページングメッセージは、複数のＲＡＮノードがカテゴリＡの複数のＵＥをサポートするか否かに関わらず、登録トラッキングエリア内の全てのＲＡＮノードに送信され得る。 
【００６１】
方法３００は、ＭＭＥ１１２からｅＮＢ１０８に送信されるＳ１‐ＡＰメッセージにおいてカテゴリＡのインジケーションを送信する段階を説明するが、ページングターゲットがカテゴリＡのＵＥであるとのインジケーションは、追加の／代替的態様で伝達され得る。例えば、いくつかの実施形態において、特定のコアネットワークノード、例えばＭＭＥ１１２は、カテゴリＡのＵＥのサービス提供専用であってもよい。本実施形態において、ｅＮＢ１０８は、ＭＭＥ１１２からの任意のページングメッセージをカテゴリＡのＵＥ用のページングメッセージと解釈し得る。
【００６２】
いくつかの実施形態において、特定のＲＡＮノード、例えばｅＮＢ１０８は、カテゴリＡの複数のＵＥのサービス提供専用であってもよい。この情報を有するＭＭＥ１１２は、カテゴリＡの複数のＵＥに向けられるページングメッセージをｅＮＢ１０８に送信するのみであり得る。従って、ｅＮＢ１０８は、任意の受信済みページングメッセージをカテゴリＡのＵＥ用のページングメッセージとして解釈し得る。
【００６３】
更に／代替的に、カテゴリＡ専用の複数のｅＮＢまたはＭＭＥに加えて、複数の専用ネットワークノードは、配信元ユーザデバイスがデスティネーション、例えば複数のハブノードと通信することを可能にする任意のノード、またはデータをそのデスティネーションにルーティングし得る簡略ｅＮＢまたはＵＥノードであり得る。
【００６４】
図４は、様々な実施形態による、ページングのための方法４００を図示するフロー図である。いくつかの実施形態において、方法４００は、ＲＡＮノード、例えばｅＮＢ１０８により、具体的には制御回路１４０により実行され得る。いくつかの実施形態において、制御回路１４０は、実行されると、ｅＮＢ１０８に方法４００を実行させる、複数の命令を格納した１または複数の非一時的コンピュータ可読媒体を含み得る。
【００６５】
４０４において、方法４００は、Ｓ１‐ＡＰページングメッセージを受信する段階を備え得る。Ｓ１‐ＡＰページングメッセージは、４０８においてＭＭＥ１１２により送信されたページングメッセージに類似し得、方法４００は、ｅＮＢ１０８により提供される複数のセルの各々のカテゴリＡのステータスを判断する段階を備え得る。いくつかの実施形態において、カテゴリＡのステータスは、肯定ページステータスまたは否定ページステータスであり得る。いくつかの実施形態において、セルは、カテゴリＡのＵＥが現在セル内にキャンプされるか否かに関わらず、当該セルがカテゴリＡの複数のＵＥをサポートする場合に肯定ページステータスを有し得る。複数の他の実施形態において、セルは、当該セルがカテゴリＡの複数のＵＥをサポートし、かつカテゴリＡのＵＥが現在、セル内にある場合のみに、肯定ページステータスを有し得る。
【００６６】
４１２において、方法４００は、カテゴリＡのステータスに基づいて無線インタフェースを介して複数のページングメッセージを送信する段階を備え得る。例えば、ｅＮＢ１０８は、肯定ページステータスを有するその複数のセルの各々において、複数の無線インタフェースを介して複数のページングメッセージを送信し得る。
【００６７】
図５は、様々な実施形態による、ページングのための方法５００を図示するフロー図である。いくつかの実施形態において、方法５００は、ＭＭＥ１１２により、具体的には制御回路１５２により実行され得る。いくつかの実施形態において、制御回路１５２は、実行されると、ＭＭＥ１１２に方法５００を実行させる、複数の命令を格納した１または複数の非一時的コンピュータ可読媒体を含み得る。
【００６８】
５０４において、方法５００は、ページングトリガを受信する段階を備え得る。ページングトリガを受信する段階は、２０４に関連して上記されたものに類似し得る。
【００６９】
５０８において、方法５００は、ページングされるＵＥがカテゴリＡのＵＥであると判断する段階を備え得る。ページングされるＵＥがカテゴリＡのＵＥであると判断する段階は、２０８に関連して上記されたものに類似し得る。
【００７０】
５１２において、方法５００は、Ｓ１‐ＡＰページングメッセージがカテゴリ０のＵＥに向けられることを示すカテゴリＡのインジケーションを有するＳ１‐ＡＰページングメッセージを生成する段階を備え得る。カテゴリＡのインジケーションを有するＳ１‐ＡＰページングメッセージを生成する段階は、３１２に関連して上記されたものに類似し得る。
【００７１】
５１６において、方法５００は、登録トラッキングエリア内の全てのＲＡＮノードのうちのどのＲＡＮノードがカテゴリＡの複数のＵＥをサポートするかを判断する段階を備え得る。どのＲＡＮノードがカテゴリＡの複数のＵＥをサポートするかを判断する段階は、２１２に関連して上記されたものに類似し得る。
【００７２】
５２０において、方法５００は、複数のページングメッセージを、カテゴリＡの複数のＵＥをサポートする、登録トラッキングエリア内の複数のＲＡＮノードに送信する段階を備え得る。
【００７３】
Ｓ１‐ＡＰページングメッセージを受信する複数のＲＡＮノードは、方法４００に関連して上記されたように、その複数のセルの各々のカテゴリＡのステータスに基づいて、セル内の無線インタフェースを介して複数のページングメッセージを送信するか否かを判断し得る。
【００７４】
方法５００は、方法２００および方法３００の態様を組み合わせるハイブリッドアプローチであり得る。方法５００は、Ｓ１インタフェースを介するＳ１‐ＡＰページングメッセージを減らすと共に、潜在的には複数のＲＡＮノードのセルにおいて無線インタフェースを介するページングメッセージを減らす利点を有し得る。
【００７５】
図６は、いくつかの実施形態による、ページングのための方法６００を図示するフロー図である。いくつかの実施形態において、方法６００は、ｅＮＢ１０８により、具体的には制御回路１４０により実行され得る。制御回路１４０は、実行されると、ＵＥ１０４に方法６００を実行させる、複数の命令を格納した１または複数の非一時的コンピュータ可読媒体を含み得る。
【００７６】
６０４において、方法６００は、ＵＥがカテゴリＡのＵＥであると判断する段階を有し得る。いくつかの実施形態において、ｅＮＢ１０８は、カテゴリインジケータをＵＥ１０４から受信することにより、ＵＥがカテゴリＡのＵＥであると判断し得る。いくつかの実施形態において、カテゴリインジケータは、エアインタフェースを介してＵＥ１０４からｅＮＢ１０８に送信されたメッセージにおいて受信され得る。例えば、メッセージは、２０８に関連して上記されたＲＡＣＨまたはＲＲＣメッセージであってもよい。
【００７７】
６０８において、方法６００は、カテゴリインジケータを含むメッセージを生成する段階を備え得る。６０８において生成されたメッセージは、２０８に関連して上記されたインジケータを含むインジケーションＩＥを含み得る。インジケータＩＥを有するメッセージは、ＭＭＥ１１２に送信されるＳ１‐ＡＰメッセージであってもよい。上記のように、インジケーションＩＥは、複製のインジケータを含み得るＵＥ無線アクセス機能構造体とは別個で異なり得る。いくつかの実施形態において、ＵＥ無線アクセス機能構造体およびインジケーションＩＥは、同一のメッセージまたは複数の異なるメッセージにおいて送信され得る。いくつかの実施形態において、インジケータは、ＵＥ無線アクセス機能構造体において送信されるのみであり得る。６１２において、方法６００は、メッセージをＭＭＥ１１２に送信する段階を備え得る。
【００７８】
本明細書において説明されるＵＥ１０４、ｅＮＢ１０８、およびＭＭＥ１１２は、所望のように構成される任意の好適なハードウェア、ファームウェア、および／またはソフトウェアを用いてシステムに実装され得る。例えば、図７は、一実施形態における、ＵＥ（例えば、ＵＥ１０４）、ｅＮＢ（例えば、ｅＮＢ１０８）、またはＭＭＥ（例えば、ＭＭＥ１１２）に対応し得る例示的なシステム７００を図示する。更に、または代替的に、システム７００は、本明細書において説明される処理のうちの１または複数（例えば、方法２００、３００、４００、５００、または６００）を実行するように適合され得る。システム７００は、インタフェース回路７０４を備え得、インタフェース回路７０４は、示されるように少なくとも互いに結合されたＲＦ回路７０８およびベースバンド回路７１２、アプリケーション回路７１６、メモリ／ストレージ７２０、ディスプレイ７２４、カメラ７２８、センサ７３２、ならびに入力／出力（Ｉ／Ｏ）インタフェース７３６を有し得る。
【００７９】
アプリケーション回路７１６は、１または複数のシングルコアプロセッサまたはマルチコアプロセッサのような回路を含み得るが、これらに限定されない。プロセッサは、汎用プロセッサおよび専用プロセッサ（例えば、グラフィックスプロセッサ、アプリケーションプロセッサ等）の任意の組み合わせを含み得る。プロセッサは、メモリ／ストレージ７２０に結合され、様々なアプリケーション、および／またはオペレーティングシステムがシステム７００上で実行されることを可能にするべく、メモリ／ストレージ７２０内に格納された複数の命令を実行するように構成され得る。
【００８０】
インタフェース回路７０４は、適切な複数のネットワークインタフェースを介する複数の信号の送信および受信に所望の複数のシグナリングプロトコルおよび処理を扱い得る。インタフェース回路７０４は、１または複数のシングルコアプロセッサまたはマルチコアプロセッサのような回路を含み得るが、これらに限定されない。プロセッサは、汎用プロセッサおよび専用プロセッサ（例えば、ベースバンドプロセッサ、通信プロセッサ等）の任意の組み合わせを含み得る。プロセッサは、メモリ／ストレージ７２０に結合され、様々な通信プロトコルの実装を可能にするべく、メモリ／ストレージ７２０内に格納された複数の命令を実行するように構成され得る。
【００８１】
ベースバンド回路７１２は、ＲＦ回路７０８を介して１または複数の無線ネットワークとの通信を可能にする様々な無線制御機能を扱い得る。無線制御機能としては、信号変調、エンコード、デコード、無線周波数シフト等が挙げられ得るが、これらに限定されない。いくつかの実施形態において、ベースバンド回路７１２は、１または複数の無線技術と互換性のある通信を提供し得る。例えば、いくつかの実施形態において、ベースバンド回路７１２は、進化型ユニバーサル地上無線アクセスネットワーク（Ｅ‐ＵＴＲＡＮ）、および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートし得る。ベースバンド回路７１２が２つ以上の無線プロトコルの無線通信をサポートするように構成される複数の実施形態は、マルチモードベースバンド回路と呼ばれ得る。様々な実施形態において、ベースバンド回路７１２は、厳密にはベースバンド周波数とみなされない複数の信号で動作する回路を含み得る。例えば、いくつかの実施形態において、ベースバンド回路７１２は、ベースバンド周波数と無線周波数との間の中間周波数を有する複数の信号で動作する回路を含み得る。
【００８２】
ＲＦ回路７０８は、非固体媒体による変調電磁放射を用いて複数の無線ネットワークとの通信を可能にし得る。様々な実施形態において、ＲＦ回路７０８は、無線ネットワークとの通信を容易にするべく、複数のスイッチ、フィルタ、増幅器等を含み得る。様々な実施形態において、ＲＦ回路７０８は、厳密には無線周波数とみなされない複数の信号で動作する回路を含み得る。例えば、いくつかの実施形態において、ＲＦ回路７０８は、中間周波数を有する複数の信号で動作する回路を含み得る。
【００８３】
概して、システム７００がＵＥ１０４として実装される場合、ＲＦ回路７０８は、無線トランシーバ１２２に対応し得、ベースバンド回路７１２は、通信回路１１６および制御回路１２０に対応し得る。システム７００がｅＮＢ１０８として実装される場合、ＲＦ回路７０８は、トランシーバ１３２に対応し得、ベースバンド回路７１２は、通信回路１２８および制御回路１４０に対応し得る。
【００８４】
いくつかの実施形態において、インタフェース回路７０４、アプリケーション回路７１６、またはメモリ／ストレージ７２０の構成部品のうちのいくつかまたは全ては、システムオンチップ（ＳＯＣ）上に一緒に実装され得る。
【００８５】
メモリ／ストレージ７２０は、例えば、システム７００のためにデータ、および／または複数の命令をロードおよびストアするべく用いられ得る。一実施形態におけるメモリ／ストレージ７２０は、好適な揮発性メモリ（例えば、ダイナミックランダムアクセスメモリ（ＤＲＡＭ））または不揮発性メモリ（例えば、フラッシュメモリ）の任意の組み合わせを含み得る。
【００８６】
様々な実施形態において、Ｉ／Ｏインタフェース７３６は、システムとのユーザインタラクションを可能にするように設計された１または複数のユーザインタフェース、またはシステムとの周辺コンポーネントインタラクションを可能にするように設計された複数の周辺コンポーネントインタフェースを含み得る。ユーザインタフェースとしては、物理キーボードまたはキーパッド、タッチパッド、スピーカ、マイク等が挙げられ得るが、これらに限定されない。周辺コンポーネントインタフェースとしては、不揮発性メモリポート、ユニバーサルシリアルバス（ＵＳＢ）ポート、オーディオジャック、および電源インタフェースが挙げられ得るが、これらに限定されない。
【００８７】
様々な実施形態において、センサ７３２は、システムに関連する環境条件、および／または位置情報を判断するための１または複数のセンシングデバイスを含み得る。いくつかの実施形態において、センサ７３２としては、ジャイロセンサ、加速度計、近接センサ、環境光センサ、または測位ユニットが挙げられ得るが、これらに限定されない。また、測位ユニットは、測位ネットワークの複数のコンポーネント、例えば全地球測位システム（ＧＰＳ）の衛星と通信するためのインタフェース回路７０４の一部であるか、またはこれらとインタラクトし得る。
【００８８】
様々な実施形態において、ディスプレイ７２４は、ディスプレイ（例えば、液晶ディスプレイ、タッチスクリーンディスプレイ、発光ダイオードディスプレイ等）を含み得る。
【００８９】
様々な実施形態において、システム７００は、より多いか、もしくはより少ないコンポーネント、および／または異なるアーキテクチャを有し得る。
【００９０】
１または複数の実装についての上記の説明は、図示および説明を提供するが、網羅であることを意図せず、または開示される厳密な形態に本発明の範囲を限定することを意図するものではない。上記の教示に照らして、複数の変更形態および改変形態が可能であり、または本発明の様々な実装の実施から得られ得る。
【００９１】
上記の詳細な説明におけるいくつかの部分は、コンピュータメモリ内のデータビットに関するオペレーションの複数のアルゴリズムおよび記号表現の観点において示されている。これらのアルゴリズムの説明および表現は、データ処理分野の当業者により、その作業の本質を他の当業者に最も効果的に伝達するべく用いられる態様である。アルゴリズムは、ここでは、概して、所望の結果をもたらす複数のオペレーションの自己矛盾のないシーケンスと考えられる。オペレーションは、物理的量の物理的操作を必要とするものである。
【００９２】
しかし、これらおよび類似の用語の全ては、適切な物理的量に関連付けられ、これらの量に適用される好都合な符号に過ぎないことに留意されたい。上記の検討から明らかであるように、別途具体的に記載されない限り、本明細書を通して、以下の特許請求の範囲において記載されるもの等の用語を使用して検討する場合、コンピュータシステムのレジスタおよびメモリ内における物理的（電子的）量として表されるデータを操作して、コンピュータシステムのメモリもしくはレジスタ、または他のそのような情報ストレージ、送信デバイス、もしくは表示デバイス内の物理的量として同様に表される他のデータに変換するコンピュータシステムまたは類似の電子コンピューティングデバイスの動作または処理を指すものと理解される。
【００９３】
本発明の複数の実施形態は、本明細書における複数の動作を実行するための装置にも関する。そのようなコンピュータプログラムは、非一時的コンピュータ可読媒体に格納される。機械可読媒体は、機械（例えば、コンピュータ）により可読な形態で情報を格納するための任意のメカニズムを含む。例えば、機械可読（例えば、コンピュータ可読）媒体としては、機械（例えば、コンピュータ）可読ストレージ媒体（例えば、リードオンリメモリ（ＲＯＭ）、ランダムアクセスメモリ（ＲＡＭ）、磁気ディスクストレージ媒体、光ストレージ媒体、フラッシュメモリデバイス）が挙げられる。
【００９４】
上述の図面で例示された複数の処理または方法は、ハードウェア（例えば、回路、専用ロジック等）、ソフトウェア（例えば、非一時的コンピュータ可読媒体上で実施される）、または双方の組み合わせを備える処理ロジックにより実行され得る。複数の処理または方法は、いくつかの連続した動作の観点から上記において説明されているが、説明される複数の動作のうちのいくつかは、異なる順序で実行され得ることを理解されたい。更に、いくつかの動作は、連続ではなく並行に実行され得る。
【００９５】
本発明の複数の実施形態は、任意の特定のプログラミング言語を参照して説明されていない。様々なプログラミング言語は、本明細書に説明される本発明の複数の実施形態の教示を実装するべく用いられ得ることが理解されよう。上述の明細書において、本発明の複数の実施形態は、それらの具体的な例示的実施形態を参照して説明されている。それに対しては、以下の特許請求の範囲に記載される本発明のより広い趣旨および範囲を逸脱することなく、様々な変更を行い得ることが明らかであろう。従って、本明細書および図面は、限定的な意味ではなく、例示的な意味とみなされるものである。
【００９６】
いくつかの例が以下に与えられる。  例１は、実行されると、進化型ノードＢ（ｅＮＢ）に、ユーザ機器（ＵＥ）が複数のＵＥの低複雑性のカテゴリに関連付けられていると判断させ、ＵＥが複数のＵＥの低複雑性のカテゴリに関連付けられることを示すインジケータを含む、情報要素（ＩＥ）を生成させ、ＩＥをモビリティ管理エンティティ（ＭＭＥ）に送信させる複数の命令を備え、ＩＥは、ＵＥの複数の無線機能に関する情報を含む無線機能構造体とは別個である、１または複数の非一時的コンピュータ可読媒体を含む。
【００９７】
例２は、例１の１または複数の非一時的コンピュータ可読媒体を含み、インジケータは、第１のインジケータであり、ＵＥの無線機能構造体は、ＵＥが複数のＵＥの低複雑性のカテゴリに関連付けられていることを示す第２のインジケータを含む。
【００９８】
例３は、例１〜２のいずれか１つの１または複数の非一時的コンピュータ可読媒体を含み、ｅＮＢは、無線機能構造体をＭＭＥに送信する。
【００９９】
例４は、例３の１または複数の非一時的コンピュータ可読媒体を含み、複数の命令は、実行されると、ｅＮＢに更に、ＩＥおよび無線機能構造体の双方を含むメッセージを送信させる。
【０１００】
例５は、例３の１または複数の非一時的コンピュータ可読媒体を含み、複数の命令は、実行されると、ｅＮＢに更に、別個の複数のメッセージにおいてＩＥおよび無線機能構造体を送信させる。
【０１０１】
例６は、例１〜５のいずれか１つの１または複数の非一時的コンピュータ可読媒体を含み、複数の命令は、実行されると、ｅＮＢに更に、Ｓ１‐アプリケーションプロトコル（ＡＰ）メッセージにおいてＩＥをＭＭＥに送信させる。
【０１０２】
例７は、例１〜６のいずれか１つの１または複数の非一時的コンピュータ可読媒体を含み、複数の命令は、実行されると、ｅＮＢに更に、ＵＥが複数のＵＥの低複雑性のカテゴリに関連付けられていると判断するべく、ランダムアクセスチャネル（ＲＡＣＨ）または無線リソース制御（ＲＲＣ）メッセージを処理させる。
【０１０３】
例８は、ｅＮＢにおいて使用される装置であって、例１〜７のいずれか１つの１または複数の非一時的コンピュータ可読媒体と、１または複数の非一時的コンピュータ可読媒体に結合され、複数の命令を実行する処理回路とを備える、装置を含む。
【０１０４】
例９は、例８の装置を備え、ＩＥをＭＭＥに送信するためのイーサネット（登録商標）インタフェースを更に備える、ｅＮＢを含む。
【０１０５】
例１０は、モビリティ管理エンティティ（ＭＭＥ）において使用される装置であって、Ｓ１インタフェースを介する通信を容易にする通信回路と、通信回路を介して、ユーザ機器（ＵＥ）が複数のＵＥの低複雑性のカテゴリに関連付けられていることを示すインジケータを含む第１の情報要素（ＩＥ）を受信し、通信回路を介して、無線機能構造体である第２の情報要素（ＩＥ）を受信する制御回路とを備える、装置を含む。
【０１０６】
例１１は、例１０の装置を含み、制御回路は、更に、無線機能構造体内に含まれる情報にアクセスすることなく、無線機能構造体を格納する。
【０１０７】
例１２は、例１０〜１１のいずれか１つの装置を含み、無線機能構造体は、ＵＥが複数のＵＥの低複雑性のカテゴリに関連付けられていることを示すためのインジケータを含む。
【０１０８】
例１３は、例１０〜１２のいずれか１つの装置を含み、制御回路は、同一のメッセージにおいて第１のＩＥおよび第２のＩＥを受信する。
【０１０９】
例１４は、モビリティ管理エンティティ（ＭＭＥ）において使用される装置であって、複数の命令を格納するための１または複数のコンピュータ可読媒体と、１または複数のコンピュータ可読媒体に結合され、ページングターゲットが、予め定められたカテゴリに関連付けられたユーザ機器（ＵＥ）であると判断し、ページングターゲットが予め定められたカテゴリに関連付けられたＵＥであるとの判断に基づいて、進化型ノードＢ（ｅＮＢ）に送信されるＳ１‐アプリケーションプロトコル（ＡＰ）ページングメッセージを生成するための複数の命令を実行する処理回路とを備える、装置を含む。
【０１１０】
例１５は、例１４の装置を含み、処理回路は、更に、ｅＮＢが予め定められたカテゴリに関連付けられた複数のＵＥをサポートすると判断し、ｅＮＢが予め定められたカテゴリに関連付けられた複数のＵＥをサポートするとの判断に更に基づいて、Ｓ１‐ＡＰページングメッセージを生成するための複数の命令を実行する。
【０１１１】
例１６は、例１５の装置を含み、処理回路は、運用・管理・保守（ＯＡＭ）手順から受信された情報、Ｓ１‐ＡＰシグナリングによりｅＮＢから受信された情報、またはネットワークデータベースから受信された情報に基づいて、ｅＮＢが予め定められたカテゴリと関連付けられた複数のＵＥをサポートすると判断する。
【０１１２】
例１７は、例１４〜１６のいずれか１つの装置を含み、予め定められたカテゴリは、低複雑性のカテゴリである。
【０１１３】
例１８は、例１７の装置を含み、低複雑性のカテゴリは、カテゴリ０である。
【０１１４】
例１９は、例１４〜１８のいずれか１つの装置を含み、ＵＥの複数の無線機能に関する情報を含む無線機能構造体を格納し、無線機能構造体とは別個に、ＵＥが予め定められたカテゴリに関連付けられているとのインジケータを含む情報要素（ＩＥ）を格納するためのストレージ回路を更に備える。
【０１１５】
例２０は、例１４〜１９のいずれか１つの装置を含み、処理回路は、ホーム加入者サーバ（ＨＳＳ）、ホームロケーションレジスタ（ＨＬＲ）、または認証・課金・許可（ＡＡＡ）サーバから受信されたＵＥ加入データに基づいて、ページングターゲットが予め定められたカテゴリに関連付けられたＵＥであると判断する。
【０１１６】
例２１は、例１４〜２０のいずれか１つの装置を含み、処理回路は、ページングターゲットが予め定められたカテゴリに関連付けられているとのインジケーションを有するＳ１‐ＡＰページングメッセージを生成する。
【０１１７】
例２２は、例２１の装置を含み、処理回路は、Ｓ１‐ＡＰページングメッセージを、トラッキングエリアにおける複数のｅＮＢに送信し、複数のｅＮＢは、ｅＮＢを含む。
【０１１８】
例２３は、進化型ノードＢ（ｅＮＢ）において使用される装置であって、１または複数のネットワークコンポーネントと複数のページングメッセージを通信するための通信回路と、通信回路に結合され、通信回路により受信され、ターゲットに向けられるＳ１‐アプリケーションプロトコル（ＡＰ）ページングメッセージを処理し、ターゲットが予め定められたカテゴリに関連付けられたユーザ機器（ＵＥ）であると判断し、ｅＮＢにより提供された１または複数のセルが予め定められたカテゴリに関連付けられた複数のＵＥをサポートすると判断し、１または複数のセルにおいて、通信回路を用いてＵＥをページングする制御回路とを備える、装置を含む。
【０１１９】
例２４は、例２３の装置を含み、制御回路は、Ｓ１‐ＡＰページングメッセージにおけるインジケータに基づいて、ターゲットが予め定められたカテゴリに関連付けられていると判断する。
【０１２０】
例２５は、例２３〜２４のいずれか１つの装置を含み、制御回路は、Ｓ１‐ＡＰページングメッセージのソースの識別に基づいて、ターゲットが予め定められたカテゴリに関連付けられていると判断する。
【０１２１】
例２６は、Ｓ１‐ＡＰページングメッセージターゲットが予め定められたカテゴリに関連付けられたユーザ機器（ＵＥ）であることを検出する第１の回路と、進化型ノードＢ（ｅＮＢ）が予め定められたカテゴリに関連付けられた複数のＵＥをサポートすると判断する第２の回路と、第１の回路および第２の回路に結合され、Ｓ１‐ＡＰページングメッセージターゲットが予め定められたカテゴリに関連付けられたＵＥであるとの検出、およびｅＮＢが予め定められたカテゴリに関連付けられた複数のＵＥをサポートするとの判断に基づいて、Ｓ１‐ＡＰページングメッセージをｅＮＢに送信する第３の回路とを備える、モビリティ管理エンティティ（ＭＭＥ）を含む。
【０１２２】
例２７は、例２６のＭＭＥを含み、複数のＵＥ無線アクセス機能を格納するためのストレージ回路を更に備え、第１の回路は、複数のＵＥ無線アクセス機能に基づいて、Ｓ１‐ＡＰページングメッセージターゲットが予め定められたカテゴリに関連付けられたＵＥであることを検出する。
【０１２３】
例２８は、例２６のＭＭＥを含み、第１の回路は、ＨＳＳ／ＨＬＲ／ＡＡＡにおけるＵＥ加入データに基づいて、Ｓ１‐ＡＰページングメッセージターゲットが予め定められたカテゴリに関連付けられたＵＥであることを検出する。
【０１２４】
例２９は、例２６〜２８のいずれか１つのＭＭＥを含み、第２の回路は、予め定められたカテゴリに関連付けられた複数のＵＥをサポートするｅＮＢを識別する。
【０１２５】
例３０は、例２９のＭＭＥを含み、第２の回路に、ＯＡＭを介して予め定められたカテゴリに関連付けられた複数のＵＥのためのｅＮＢサポートに関する情報が事前にプロビジョニングされる。
【０１２６】
例３１は、例２９のＭＭＥを含み、第２の回路は、Ｓ１‐ＡＰシグナリングによりｅＮＢから、予め定められたカテゴリを有する複数のＵＥのためのｅＮＢサポートに関する情報を受信する。
【０１２７】
例３２は、例２６のＭＭＥを含み、予め定められたカテゴリは、低コストのカテゴリ、低複雑性のカテゴリ、またはカテゴリ０である。
【０１２８】
例３３は、ターゲットに向けられるＳ１‐ＡＰページングメッセージを受信する第１の回路と、ターゲットが予め定められたカテゴリに関連付けられたユーザ機器（ＵＥ）であることを検出し、ｅＮＢが予め定められたカテゴリに関連付けられた複数のＵＥをサポートする場合、エアインタフェースを介してページングメッセージを転送する第２の回路とを備える、進化型ノードＢ（ｅＮＢ）を含む。
【０１２９】
例３４は、例３３のｅＮＢを含み、モビリティ管理エンティティ（ＭＭＥ）に、予め定められたカテゴリに関連付けられた複数のＵＥのためのｅＮＢサポートに関するインジケーションを送信する第３の回路を更に備える。
【０１３０】
例３５は、例３３のｅＮＢを含み、第２の回路は、Ｓ１‐ＡＰページングメッセージ内の予め定められたカテゴリ情報要素を確認して、ターゲットが予め定められたカテゴリに関連付けられたＵＥであることを検出する。
【０１３１】
例３６は、例３３〜３５のいずれか１つのｅＮＢを含み、予め定められたカテゴリは、低コストのカテゴリ、低複雑性のカテゴリ、またはカテゴリ０である。
【０１３２】
例３７は、ユーザ機器（ＵＥ）が複数のＵＥの低複雑性のカテゴリに関連付けられていると判断する段階と、ＵＥが複数のＵＥの低複雑性のカテゴリに関連付けられることを示すインジケータを含む、情報要素（ＩＥ）を生成する段階と、ＩＥをモビリティ管理エンティティ（ＭＭＥ）に送信する段階とを備え、ＩＥは、ＵＥの複数の無線機能に関する情報を含む無線機能構造体とは別個である、方法を含む。
【０１３３】
例３８は、例３７の方法を含み、インジケータは、第１のインジケータであり、ＵＥの無線機能構造体は、ＵＥが複数のＵＥの低複雑性のカテゴリに関連付けられていることを示す第２のインジケータを含む。
【０１３４】
例３９は、例３６または３７の方法を含み、ｅＮＢは、無線機能構造体をＭＭＥに送信する。
【０１３５】
例４０は、例３９の方法を含み、ＩＥおよび無線機能構造体の双方を含むメッセージを送信する段階を更に備える。
【０１３６】
例４１は、例３９の方法を含み、別個のメッセージにおいてＩＥおよび無線機能構造体を送信する段階を更に備える。
【０１３７】
例４２は、例３７〜４１のいずれか１つの方法を含み、Ｓ１‐アプリケーションプロトコル（ＡＰ）メッセージにおいてＩＥをＭＭＥに送信する段階を更に備える。
【０１３８】
例４３は、例３７〜４２のいずれか１つの方法を含み、複数の命令は、実行されると、ｅＮＢに更に、ランダムアクセスチャネル（ＰｖＡＣＨ）または無線リソース制御（ＲＲＣ）メッセージを処理させて、ＵＥが複数のＵＥの低複雑性のカテゴリに関連付けられていると判断させる。
【０１３９】
例４４は、ユーザ機器（ＵＥ）が複数のＵＥの低複雑性のカテゴリに関連付けられていることを示すインジケータを含む第１の情報要素（ＩＥ）を受信する段階と、無線機能構造体である第２の情報要素（ＩＥ）を受信する段階とを備える方法を含む。
【０１４０】
例４５は、例４４の方法を含み、無線機能構造体内に含まれる情報にアクセスすることなく、無線機能構造体を格納する段階を更に備える。
【０１４１】
例４６は、例４４または４５の方法を含み、無線機能構造体は、ＵＥが複数のＵＥの低複雑性のカテゴリに関連付けられていることを示すためのインジケータを含む。
【０１４２】
例４７は、例４４〜４６のいずれか１つの方法を含み、同一のメッセージにおいて第１のＩＥおよび第２のＩＥを受信する段階を更に備える。
【０１４３】
例４８は、ページングターゲットが、予め定められたカテゴリに関連付けられたユーザ機器（ＵＥ）であると判断する段階と、ページングターゲットが予め定められたカテゴリに関連付けられたＵＥであるとの判断に基づいて、進化型ノードＢ（ｅＮＢ）に送信されるＳ１‐アプリケーションプロトコル（ＡＰ）ページングメッセージを生成する段階とを備える方法を含む。
【０１４４】
例４９は、例４８の方法を含み、ｅＮＢが予め定められたカテゴリに関連付けられた複数のＵＥをサポートすると判断する段階と、ｅＮＢが予め定められたカテゴリに関連付けられた複数のＵＥをサポートすると判断する段階に更に基づいて、Ｓ１‐ＡＰページングメッセージを生成するための複数の命令を実行する段階とを更に備える。
【０１４５】
例５０は、例４９の方法を含み、運用・管理・保守（ＯＡＭ）手順から受信された情報、Ｓ１‐ＡＰシグナリングによりｅＮＢから受信された情報、またはネットワークデータベースから受信された情報に基づいて、ｅＮＢが予め定められたカテゴリと関連付けられた複数のＵＥをサポートすると判断する段階を更に備える。
【０１４６】
例５１は、例４８〜５０のいずれか１つの方法を含み、予め定められたカテゴリは、低複雑性のカテゴリである。
【０１４７】
例５２は、例５１の方法を含み、低複雑性のカテゴリは、カテゴリ０である。
【０１４８】
例５３は、例４８〜５２のいずれか１つの方法を含み、ＵＥの複数の無線機能に関する情報を含む無線機能構造体を格納する段階と、無線機能構造体とは別個に、ＵＥが予め定められたカテゴリに関連付けられているとのインジケータを含む情報要素（ＩＥ）を格納する段階とを更に備える。
【０１４９】
例５４は、例４８〜５３のいずれか１つの方法を含み、ホーム加入者サーバ（ＨＳＳ）、ホームロケーションレジスタ（ＨＬＲ）、または認証・課金・許可（ＡＡＡ）サーバから受信されたＵＥ加入データに基づいて、ページングターゲットが予め定められたカテゴリに関連付けられたＵＥであると判断する段階を更に備える。
【０１５０】
例５５は、例４８〜５４のいずれか１つの方法を含み、ページングターゲットが予め定められたカテゴリに関連付けられているとのインジケーションを有するＳ１‐ＡＰページングメッセージを生成する段階を更に備える。
【０１５１】
例５６は、例４８〜５５のいずれか１つの方法を含み、Ｓ１‐ＡＰページングメッセージをトラッキングエリアにおける複数のｅＮＢに送信する段階を更に備え、複数のｅＮＢは、ｅＮＢを含む。
【０１５２】
例５７は、通信回路により受信され、ターゲットに向けられるＳ１‐アプリケーションプロトコル（ＡＰ）ページングメッセージを処理する段階と、ターゲットが予め定められたカテゴリに関連付けられたユーザ機器（ＵＥ）であると判断する段階と、ｅＮＢにより提供される１または複数のセルが予め定められたカテゴリに関連付けられた複数のＵＥをサポートすると判断する段階と、１または複数のセルにおいてＵＥをページングする段階とを備える方法を含む。
【０１５３】
例５８は、例５７の方法を含み、Ｓ１‐ＡＰページングメッセージにおけるインジケータに基づいて、ターゲットが予め定められたカテゴリに関連付けられていると判断する段階を更に備える。
【０１５４】
例５９は、例５７または５８の方法を含み、Ｓ１‐ＡＰページングメッセージのソースの識別に基づいて、ターゲットが予め定められたカテゴリに関連付けられていると判断する段階を更に備える。
【０１５５】
例６０は、例３７〜５９のいずれか１つの方法を実行するための手段を有する装置を含む。
【０１５６】
例６１は、実行されると、例４４〜５９のいずれか１つの方法を実行する複数の命令を有する１または複数の非一時的コンピュータ可読媒体を含む。
【０１５７】
例６２は、進化型ノードＢ（ｅＮＢ）において使用される装置であって、ユーザ機器（ＵＥ）が複数のＵＥの低複雑性のカテゴリに関連付けられていると判断し、ＵＥが複数のＵＥの低複雑性のカテゴリに関連付けられることを示すインジケータを含む、情報要素（ＩＥ）を生成する制御回路と、ＩＥをモビリティ管理エンティティ（ＭＭＥ）に送信する通信回路とを備え、ＩＥは、ＵＥの複数の無線機能に関する情報を含む無線機能構造体とは別個である、装置を含む。
【０１５８】
例６３は、例６２の装置を含み、インジケータは、第１のインジケータであり、ＵＥの無線機能構造体は、ＵＥが複数のＵＥの低複雑性のカテゴリに関連付けられていることを示す第２のインジケータを含む。
【０１５９】
例６４は、例６２または６３の装置を含み、制御回路は、通信回路を介して無線機能構造体をＭＭＥに送信する。
【０１６０】
例６５は、例６４の装置を含み、制御回路は、通信回路を介して、ＩＥおよび無線機能構造体の双方を含むメッセージを送信する。
【０１６１】
例６６は、例６４の装置を含み、制御回路は、通信回路を介して、別個のメッセージにおいてＩＥおよび無線機能構造体を送信する。
【０１６２】
例６７は、例６２〜６６のいずれか１つの装置を含み、制御回路は、通信回路を介して、Ｓ１‐アプリケーションプロトコル（ＡＰ）メッセージにおいてＩＥをＭＭＥに送信する。
【０１６３】
例６８は、例６２〜６７のいずれか１つの装置を含み、制御回路は、ＵＥが複数のＵＥの低複雑性のカテゴリに関連付けられていると判断するべく、ランダムアクセスチャネル（ＲＡＣＨ）または無線リソース制御（ＲＲＣ）メッセージを処理する。
本実施形態の例を下記の各項目として示す。
［項目１］
実行されると、進化型ノードＢ（ｅＮＢ）に、
ユーザ機器（ＵＥ）が複数のＵＥの低複雑性のカテゴリに関連付けられていると判断させ、
前記ＵＥが複数のＵＥの前記低複雑性のカテゴリに関連付けられることを示すインジケータを含む、情報要素（ＩＥ）を生成させ、
前記ＩＥをモビリティ管理エンティティ（ＭＭＥ）に送信させる複数の命令を備え、
前記ＩＥは、前記ＵＥの複数の無線機能に関する情報を含む無線機能構造体とは別個である、１または複数のコンピュータ可読媒体。
［項目２］
前記インジケータは、第１のインジケータであり、前記ＵＥの前記無線機能構造体は、前記ＵＥが複数のＵＥの前記低複雑性のカテゴリに関連付けられていることを示す第２のインジケータを含む、項目１に記載の１または複数のコンピュータ可読媒体。
［項目３］
前記ｅＮＢは、前記無線機能構造体を前記ＭＭＥに送信する、項目１に記載の１または複数のコンピュータ可読媒体。
［項目４］
前記複数の命令は、実行されると、前記ｅＮＢに更に、前記ＩＥおよび前記無線機能構造体の双方を含むメッセージを送信させる、項目３に記載の１または複数のコンピュータ可読媒体。
［項目５］
前記複数の命令は、実行されると、前記ｅＮＢに更に、別個の複数のメッセージにおいて前記ＩＥおよび前記無線機能構造体を送信させる、項目３に記載の１または複数のコンピュータ可読媒体。
［項目６］
前記複数の命令は、実行されると、前記ｅＮＢに更に、Ｓ１‐アプリケーションプロトコル（ＡＰ）メッセージにおいて前記ＩＥを前記ＭＭＥに送信させる、項目１に記載の１または複数のコンピュータ可読媒体。
［項目７］
前記複数の命令は、実行されると、前記ｅＮＢに更に、前記ＵＥが複数のＵＥの前記低複雑性のカテゴリに関連付けられていると判断するべく、ランダムアクセスチャネル（ＲＡＣＨ）または無線リソース制御（ＲＲＣ）メッセージを処理させる、項目１に記載の１または複数のコンピュータ可読媒体。
［項目８］
ｅＮＢにおいて使用される装置であって、
項目１〜７のいずれか１項に記載の１または複数のコンピュータ可読媒体と、
前記１または複数の非一時的コンピュータ可読媒体に結合され、前記複数の命令を実行する処理回路とを備える、装置。
［項目９］
項目８に記載の装置を備え、
前記ＩＥを前記ＭＭＥに送信するためのイーサネット（登録商標）インタフェースを更に備える、ｅＮＢ。
［項目１０］
モビリティ管理エンティティ（ＭＭＥ）において使用される装置であって、
Ｓ１インタフェースを介する通信を容易にする通信回路と、
前記通信回路を介して、ユーザ機器（ＵＥ）が複数のＵＥの低複雑性のカテゴリに関連付けられていることを示すインジケータを含む第１の情報要素（ＩＥ）を受信し、
前記通信回路を介して、無線機能構造体である第２の情報要素（ＩＥ）を受信する
制御回路とを備える、装置。
［項目１１］
前記制御回路は、更に、前記無線機能構造体内に含まれる情報にアクセスすることなく、前記無線機能構造体を格納する、項目１０に記載の装置。
［項目１２］
前記無線機能構造体は、前記ＵＥが複数のＵＥの前記低複雑性のカテゴリに関連付けられていることを示すためのインジケータを含む、項目１０に記載の装置。
［項目１３］
前記制御回路は、同一のメッセージにおいて前記第１のＩＥおよび前記第２のＩＥを受信する、項目１０に記載の装置。
［項目１４］
モビリティ管理エンティティ（ＭＭＥ）において使用される装置であって、
複数の命令を格納するための１または複数のコンピュータ可読媒体と、
前記１または複数のコンピュータ可読媒体に結合され、
ページングターゲットが、予め定められたカテゴリに関連付けられたユーザ機器（ＵＥ）であると判断し、
前記ページングターゲットが前記予め定められたカテゴリに関連付けられたＵＥであるとの前記判断に基づいて、進化型ノードＢ（ｅＮＢ）に送信されるＳ１‐アプリケーションプロトコル（ＡＰ）ページングメッセージを生成するための前記複数の命令を実行する
処理回路とを備える、装置。
［項目１５］
前記処理回路は、更に、
前記ｅＮＢが前記予め定められたカテゴリに関連付けられた複数のＵＥをサポートすると判断し、
前記ｅＮＢが前記予め定められたカテゴリに関連付けられた複数のＵＥをサポートするとの前記判断に更に基づいて、前記Ｓ１‐ＡＰページングメッセージを生成するための前記複数の命令を実行する、項目１４に記載の装置。
［項目１６］
前記処理回路は、運用・管理・保守（ＯＡＭ）手順から受信された情報、Ｓ１‐ＡＰシグナリングにより前記ｅＮＢから受信された情報、またはネットワークデータベースから受信された情報に基づいて、前記ｅＮＢが前記予め定められたカテゴリと関連付けられた複数のＵＥをサポートすると判断する、項目１５に記載の装置。
［項目１７］
前記予め定められたカテゴリは、低複雑性のカテゴリである、項目１４に記載の装置。
［項目１８］
前記低複雑性のカテゴリは、カテゴリ０である、項目１７に記載の装置。
［項目１９］
前記ＵＥの複数の無線機能に関する情報を含む無線機能構造体を格納し、
前記無線機能構造体とは別個に、前記ＵＥが前記予め定められたカテゴリに関連付けられているとのインジケータを含む情報要素（ＩＥ）を格納するためのストレージ回路を更に備える、項目１４に記載の装置。
［項目２０］
前記処理回路は、ホーム加入者サーバ（ＨＳＳ）、ホームロケーションレジスタ（ＨＬＲ）、または認証・課金・許可（ＡＡＡ）サーバから受信されたＵＥ加入データに基づいて、前記ページングターゲットが前記予め定められたカテゴリに関連付けられたＵＥであると判断する、項目１４に記載の装置。
［項目２１］
前記処理回路は、前記ページングターゲットが前記予め定められたカテゴリに関連付けられているとのインジケーションを有する前記Ｓ１‐ＡＰページングメッセージを生成する、項目１４または１５に記載の装置。
［項目２２］
前記処理回路は、前記Ｓ１‐ＡＰページングメッセージを、トラッキングエリアにおける複数のｅＮＢに送信し、
前記複数のｅＮＢは、前記ｅＮＢを含む、項目２１に記載の装置。
［項目２３］
進化型ノードＢ（ｅＮＢ）において使用される装置であって、
１または複数のネットワークコンポーネントと複数のページングメッセージを通信するための通信回路と、
前記通信回路に結合され、
前記通信回路により受信され、ターゲットに向けられるＳ１‐アプリケーションプロトコル（ＡＰ）ページングメッセージを処理し、
前記ターゲットが予め定められたカテゴリに関連付けられたユーザ機器（ＵＥ）であると判断し、
前記ｅＮＢにより提供された１または複数のセルが前記予め定められたカテゴリに関連付けられた複数のＵＥをサポートすると判断し、
前記１または複数のセルにおいて、前記通信回路を用いて前記ＵＥをページングする
制御回路とを備える、装置。
［項目２４］
前記制御回路は、前記Ｓ１‐ＡＰページングメッセージにおけるインジケータに基づいて、前記ターゲットが予め定められたカテゴリに関連付けられていると判断する、項目２３に記載の装置。
［項目２５］
前記制御回路は、前記Ｓ１‐ＡＰページングメッセージのソースの識別に基づいて、前記ターゲットが前記予め定められたカテゴリに関連付けられていると判断する、項目２３または２４に記載の装置。
【図１】
0006381005.tif 000004
【図２】
0006381005.tif 000005
【図３】
0006381005.tif 000006
【図４】
0006381005.tif 000007
【図５】
0006381005.tif 000008
【図６】
0006381005.tif 000009
【図７】
0006381005.tif 000010